(57)【特許請求の範囲】
【請求項１】
表示機能を備えた電子ペーパと当該電子ペーパを複数枚装着することができる本体とからなる電子ペーパファイルにおいて、
上記電子ペーパを識別する識別番号に基づいて上記電子ペーパが表示するデータを決定するページ管理手段と、
上記ページ管理手段にて決定されたデータを上記電子ペーパに送信する通信手段と、
上記識別番号に基づいて、１又は複数の電子ペーパからなるグループを設定し、設定したグループにグループ名称を付ける設定手段と、
を備え、
上記グループ名称は、上記電子ペーパが表示するデータとされ、上記通信手段を介して上記電子ペーパに送信されることを特徴とする電子ペーパファイル。
【請求項２】
上記ページ管理手段は、ユーザによって与えられたページ番号に基づいて、上記電子ペーパが表示するデータを決定する請求項１に記載の電子ペーパファイル。
【請求項３】
上記電子ペーパから上記識別番号を取得する識別番号取得手段を備えた請求項１に記載の電子ペーパファイル。
【請求項４】
上記設定手段は、上記グループを識別するマークを電子ペーパに表示するための表示情報を設定し、
上記通信手段は、上記表示情報を電子ペーパに送信する請求項１に記載の電子ペーパファイル。
【請求項５】
上記表示情報は、グループのマークの色、大きさ、表示方法を示す情報である請求項４に記載の電子ペーパファイル。
【請求項６】
上記通信手段は、異なる電子ペーパファイルと所定のデータを送受信し、
上記ページ管理手段は、上記異なる電子ペーパファイルを特定する情報と、該異なる電子ペーパファイルに接続された電子ペーパの表示に必要な事項を対応させて管理する請求項１に記載の電子ペーパファイル。
【請求項７】
物理的な接続機能と電気的な接続機能とを兼ねた一対の接続端子の一方を上記電子ペーパに備えるとともに、該接続端子の他方を上記本体に備えることによって、上記電子ペーパと上記本体とを着脱可能とした請求項１に記載の電子ペーパファイル。
【請求項８】
上記他方の接続端子の配列位置を固定した請求項７に記載の電子ペーパファイル。
【請求項９】
上記他方の接続端子を備えた複数の可動軸片を回転自在になるように軸方向に接続した接続体を上記本体に固定した請求項８に記載の電子ペーパファイル。
【請求項１０】
上記他方の接続端子に対する一方の接続端子の着脱状況を検知する着脱検知手段と、
上記着脱検知手段が検知した着脱状況に基づいて上記他方の接続端子にデータを出力する表示制御手段を備えた請求項７或いは請求項８のいずれかに記載の電子ペーパファイル。
【請求項１１】
表示機能を備えた電子ペーパと当該電子ペーパを複数枚装着することができる本体とからなる電子ペーパファイルにおいて、
上記電子ペーパを識別する識別番号に基づいて上記電子ペーパが表示するデータを決定するページ管理手段と、
上記ページ管理手段にて決定されたデータを上記電子ペーパに送信する通信手段と、
を備え、
物理的な接続機能と電気的な接続機能とを兼ねた一対の接続端子の一方を上記電子ペーパに備えるとともに、該接続端子の他方を備えた複数の可動軸片を回転自在になるように軸方向に接続した接続体を上記本体に固定することによって、上記電子ペーパが上記本体に対して着脱可能とされかつ回転自在とされたことを特徴とする電子ペーパファイル。
【発明の詳細な説明】
【０００１】
【発明の属する技術分野】
本願発明は、シート状の表示部を備えた電子ペーパを複数枚装着することができる電子ペーパファイルに関するものである。
【０００２】
【従来の技術】
近年の情報化社会の発展に伴い、ディスプレイやハードコピー等の技術の重要性は高まっている。しかし、情報伝達の媒体として古くから使用されている紙は、携帯性や保存性が高い。そのため、情報伝達媒体としてＣＲＴやＬＣＤ等の表示媒体だけでは不充分であり、最近では、メモリを持ったペーパーライクな表示媒体が開発されている。
【０００３】
上記のような表示媒体として、電子ペーパが提案され（特開平１０−１７１６２０公報）、更にこの電子ペーパを複数まとめてノート状にした電子ペーパファイルも提案されている（特表平１１−５０２９５０公報）。また、表示媒体の記録材料として色々なリライタブル記録媒体が検討されている（日本画像学会発行「Ｊａｐａｎ  Ｈａｒｄｃｏｐｙ’９９  論文集」Ｐ．２０９〜Ｐ．２５１参照）。
【０００４】
電子ペーパファイルは、文字や画像等を紙に印刷するのではなく、容易に複製・編集可能な電子情報として記憶し、かつ従来より慣れ親しんだ本やノートの形態を有する情報端末といったニーズに対応すべく開発されたものである。
【０００５】
即ち、電子ペーパファイルは、ディスプレイに代表される従来の表示装置とは異なり、携帯可能かつノート状の構成を成す。また、携帯情報端末（ＰＤＡ：Personal Digital Assistant、ノ−ト型パーソナルコンピュータ）等とも異なり、複数の表示部を備えるといった特徴がある。
【０００６】
ところで上記従来の携帯情報端末は通信機能を有するものがあり、当該通信機能を使用することで、場所を選ばず当該携帯情報端末どうしでの情報のやり取りが可能である。当該情報のやり取りとしては、例えばファイルの送受信や、コミュニケーションツール（チャット：Chat）等を用いたリアルタイムメッセージ交換等がある。また、会議の各参加者に割り当てた上記通信機能を有する情報端末に会議の資料となる映像等を送信することで  ホワイトボードを使用しなくても、各参加者は自分の情報端末で会議の資料を見ることができる。
【０００７】
【発明が解決しようとする課題】
しかしながら、電子ペーパファイルは、各電子ペーパファイルに記憶されたデータを各電子ペーパファイルに装着された電子ペーパに表示することができるが、電子ペーパファイルから取り外された電子ペーパに、ユーザが所望するデータを送信することができない。
【０００８】
そのために、例えば、会議の資料等を表示する表示媒体として電子ペーパを各参加者に配布し、主催者等が会議を進めながら、各参加者に配布した電子ペーパに資料を表示させることができなかった。
【０００９】
また、各電子ペーパに表示された内容を各電子ペーパ上で編集することはできるのだが、編集した内容を他の電子ペーパに送信することができなかった。そのため所定の電子ペーパ上に意見等を記入し、当該記入した意見等が他の電子ペーパに表示されることは無かった。
【００１０】
従って本発明は、本やノートの利点を有するとともに、特にコミュニケーション時に発生する電子ペーパファイル及び電子ペーパ間の情報の送受信についての問題を解決した電子ペーパファイルを提供することを目的とするものである。
【００１１】
【課題を解決するための手段】
本発明は、上記目的を達成するために以下の手段を備える。
【００１２】
即ち、電子ペーパに電子ペーパを特定する識別番号を付与しておき、ページ管理手段は、上記識別番号に基づいて各電子ペーパに送信すべきデータを決定し、当該データを通信手段を介して各電子ペーパに送信する。例えば、ユーザが複数の電子ペーパの識別番号をページ管理手段に入力しておくことで、上記ページ管理手段は、例えば上記識別番号順の小さい電子ペーパから順番にデータを送信することができる。また、電子ペーパファイルは、複数枚の電子ペーパを効率よく管理するために、各電子ペーパをグループに分けて管理する。その場合、電子ペーパの識別番号と当該電子ペーパが属するグループを識別するための情報とをユーザが指定する。これによって電子ペーパファイルに備えられた設定手段は、電子ペーパがどのグループに分けられたかを認識することができる。
【００１３】
また、ユーザが容易に識別番号を知るために、電子ペーパファイルに識別番号を取得する識別番号取得手段を備えるようにしてもよい。
【００１４】
また、設定手段は、グループを識別するためのマークを電子ペーパに表示するための表示情報を生成することもできる。例えば、ユーザが、マークの色や、表示方法、表示位置等を設定手段に入力することで、設定手段は、入力された情報を基にマークを表示するための表示情報を生成し、各電子ペーパに表示情報を送信する。この表示情報を受信した電子ペーパは当該マークを表示する。これにより、ユーザは、電子ペーパが属するグループを認識しやすくなる。
【００１５】
その他、上記通信手段に代えて、物理的な接続機能と電気的な接続機能とを兼ねた雄雌一対の接続端子の一方を電子ペーパに備え、他方を上記本体に備えるようにしてもよい。上記他方の接続端子は本体に固定した構成であってもよいし、本体に対して回動自在に固定した構成であってもよい。
【００１６】
【発明の実施の形態】
まず、電子ペーパ１０及び電子ペーパファイル３０の構成の詳細について説明する。
【００１７】
図２７に示すように電子ペーパファイル３０は、信号授受手段２２及び表示発光制御手段２３を背板２４に備えた本体２０と、表示駆動部１２及び表示部１１を備えた電子ペーパ１０が、接続端子１３、２５により装着されて構成されている。また、本体２０と電子ペーパ１０とは接続端子１３、２５を介して電気的にも接続されている。更に本体２０は、上記接続端子２５を一又は複数備えることができ、接続端子２５が複数備えられている場合は、複数の電子ペーパ１０を接続することができる。
【００１８】
上記表示発光制御手段２３は、上記信号授受手段２２より受信したデータを表示用ビットデータとして当該電子ペーパ１０に転送するとともに、後述する発光シートの発光制御も行う。ここにいう発光制御とは、強調したい領域のみの照明、及び当該領域の輝度の変更等である。尚、上記信号授受手段２２は、例えば通信可能に接続されたパーソナルコンピュータよりデータを受信したり、データが格納されたメモリカードからの当該データを取得したりすることができる。
【００１９】
ここで、上記表示部１１は、図２８に示すように、所定の表示媒体を備えた表示シートＡと、この表示シートＡを照明するための発光シートＢとからなり、以下その構成順について説明する。
【００２０】
まず、上側のベースフィルムＡ2 上に透明電極（例えばＩＴＯ電極）Ａ3を形成するとともに、下側のベースフィルムＡ6 上に透明電極Ａ5 を形成し、この列電極Ａ5 の上に表示媒体（例えば強誘電性高分子液晶）Ａ４を一定の厚みで塗布する。次いで、この行電極Ａ3 と列電極Ａ5 とが相互に向き合いかつ格子状となるように貼り合わせ、更に、上記表示媒体Ａ４の分子を所定の配向とした後、偏光板Ａ1 ・Ａ7 で両側から挟んで貼り合わせる。これによって、表示シートＡが生成されることになる。
【００２１】
これに対し、上記発光シートＢは、その全面が一様に発光すればよいため、上側のベースフィルムＢ1 上に陽極Ｂ２（共通電極）を形成するとともに、下側のベースフィルムＢ6 上に陰極Ｂ５（共通電極）を形成し、この陰極Ｂ５の上に、絶縁層Ｂ3 を用いて所定のパターンで発光媒体（例えば有機エレクトロルミネセンス）Ｂ４ を形成した後、この陽極Ｂ2 と陰極Ｂ5 とが格子状に向き合うように貼り合わせた構成とする。
【００２２】
最後に、発光シートＢが表示シートＡを照明するよう、上記のように生成した発光シートＢを表示シートＡの下側に貼り合わせる。
【００２３】
尚、表示シートＡで使用する表示媒体Ａ４は、上記のような不揮発性の材料に限定する必要はない。例えば、正電荷を有する粒子に結合する色素材料と、負電荷を有する粒子に結合する物質（ｐＨが当該色素材料と逆の物質）等とを内蔵したマイクロカプセルを上記表示媒体Ａ４として採用することもできる。このようなマイクロカプセルの構造は、特表平１１−５０２９５０号公報に詳しい。
【００２４】
ここで、表示シートＡでの表示は、以下に説明するシャッター機能を利用したマトリクス制御によって行う。すなわち、表示シートＡの列電極Ａ5 ・行電極Ａ3 間に所定電圧を印加すると、光を透過しない方向に表示媒体Ａ４の分子の配向が変化し（シャッターがＯＮとなり）、この列電極Ａ5 及び行電極Ａ3 によって特定される画素が黒く表示される。一方、上記所定電圧（以下「正電圧」という）の逆電圧を印加した場合は、光を透過する方向に表示媒体Ａ４の分子の配向が変化し（シャッターがＯＦＦとなり）、この画素は白く表示されるようになっている。
【００２５】
一方、発光シートＢの陽極Ｂ２ ・陰極Ｂ５間に電圧を印加すると、発光媒体Ｂ４の全面が発光して表示シートＡを照明する。すなわち、発光媒体Ｂ４が発光すると、この光が透過する部分の画素（シャッターがＯＦＦとなっている画素）が形成するようになっている。
【００２６】
尚、上記したように発光媒体Ｂ４は所定のパターンで形成するようにしているため、発光シートＢの陽極Ｂ２、陰極Ｂ５を格子状の個別電極（即ち、行電極及び列電極）とし、この個別電極毎に印加する電圧を変えれば、例えばタイトル領域など、強調したい領域のみ照明することが可能となる。
【００２７】
また、発光シートＢをモノカラーで発光させる場合は全面一様に単色の光源を配置しておけばよいが、フルカラーで発光させる場合は格子状にＲＧＢ（Ｒed Green Blue）の光源を配置しておく。フルカラーであっても全面一様に発光させる場合は、上記のように個別電極とするまでもなく陽極Ｂ２・陰極Ｂ５であってもかまわない。
【００２８】
さて、次に図１を用いて、データ（文字データ・画像データ等）を表示部１１に表示する手順を説明する。
【００２９】
ユーザは例えば論文集の内容（データ）が記憶されたメモリカード４１を本体２０に挿填する。次にユーザは、ユーザが図２７に示すように本体２０に備えられたテンキー等から構成されるページ指定手段１７０を用いて、例えば「２０」を入力する。すると、ページ指定手段１７０は、ページ管理手段１８に「２０」が入力されたことを通知する。
【００３０】
このページ管理手段１８は、電子ペーパファイル３０の電源が投入されている間、常時本体２０と通信可能に接続されている電子ペーパ１０の枚数を管理している。ページ管理手段１８は、上記ページ指定手段１７０より「２０」が入力されると、本体２０と通信可能に接続されている電子ペーパ１０の枚数、例えば１０枚と、上記ページ指定手段１７０から入力された値（ここでは「２０」）を上記表示発光制御手段２３に通知する。
【００３１】
上記表示発光制御手段２３は、ページ管理手段１８から電子ペーパ１０の接続されている枚数と「２０」を受けると、上記信号授受手段２２に論文集の２０ページから２９ページまでのデータをメモリカード４１から取得するように指示する。該指示により上記信号授受手段２２は、２０ページから２９ページまでのデータを取得し、取得したデータを表示発光制御手段２３に送信する。
【００３２】
上記表示発光制御手段２３は、送信された２０ページ〜２９ページのデータのうち文字データを所定の電子ペーパ１０に備えられた文字記憶手段４２に、画像データを画像記憶手段４３に格納する。上記文字データは、例えばＡＳＣＩＩコード等の文字コードと、文字が表示される表示部１１上の領域を示す文字領域データ等から構成される。また、上記画像データとは、例えば画像の形状、模様、色彩等の画像の形態を示す画像形態データと、画像が表示される表示部１１上の領域を示す画像領域データから構成される。
【００３３】
上記表示発光制御手段２３は、上記のように文字データを文字記憶手段４２に格納する際に、論文集の２０ページ〜２９ページの文字データを電子ペーパ１０の表示部１１に表示するために、文字コードをドットデータに変換する。このドットデータは、ドット毎の色のデータや濃度のデータ等から構成されている。
【００３４】
更に、上記表示発光制御手段２３はドットデータに変換した文字コードと対応する文字領域データを用いて、文字を表示する表示部１１の画素の色データと濃度データとを示す表示用ビットデータを生成する。上記表示発光制御手段２３は表示用ビットデータを生成すると、例えば表表紙２６１に最も近い１ページ目の電子ペーパ１０に論文集の２０ページに書き込まれた文字に対応する表示用ビットデータを、２ページ目の電子ペーパ１０に２１ページに書き込まれた文字に対応する表示用ビットデータを、・・・、１０ページ目の電子ペーパ１０に２９ページに書き込まれた文字に対応する表示用ビットデータを送信する。
【００３５】
各電子ペーパ１０に送信された表示用ビットデータは、各電子ペーパ１０に備えられた表示用ドライバ１２ａにて受信される。該表示用ドライバ１２ａは上記表示用ビットデータを受信すると、該表示用ビットデータに基づいて、文字を表示する画素と当該画素に印加する電圧を生成する。
【００３６】
続いて、上記表示用ドライバ１２ａは、図２に示す列配線Ｌ２及び行配線Ｌ１を用いて文字を表示する画素に所定の電圧を印加する。これにより論文集２０ページ〜２９ページに書き込まれた文字が電子ペーパ１０の表示部１１に表示される。
【００３７】
また、上記表示発光制御手段２３は、画像記憶手段４３から論文集２０ページ〜２９ページに書き込まれた画像データを取得すると、文字データから表示用ビットデータを生成したように、画像データから表示用ビットデータを生成する。上記表示発光制御手段２３は表示用ビットデータを生成すると、当該表示用ビットデータを表示用ドライバ１２ａに送信する。
【００３８】
上記表示用ドライバ１２ａは送信された表示用ビットデータに基づいて画像を表示部１１に表示する。よって、論文集の２０ページ〜２９ページに書き込まれた文字と画像が電子ペーパ１０の表示部１１に表示されることになる。
【００３９】
尚、図２に示すように電子ペーパ１０の表示駆動部１２に上記文字記憶手段４２及び画像記憶手段４３を設けた場合、当該電子ペーパ１０を本体２０より取り外した場合でも、文字データや画像データを電子ペーパ１０に記憶させておくことができる。但し、上記文字記憶手段４２及び画像記憶手段４３を電子ペーパ１０に必ずしも設ける必要はなく、例えば本体２０に設けてもよい。また、上記では文字データ・画像データをメモリカード４１から読み出しているが、ＣＤ―ＲＯＭやＤＶＤ―ＲＯＭ等の記録媒体や、パソコンのハードディスクから文字データ・画像データを読み出してもよい。
【００４０】
続いて電子ペーパ１０に表示されている文字や画像を編集する編集処理について説明する。
【００４１】
電子ペーパ１０に表示されている文字や画像を編集することができる電子ペーパ１０の一態様として、図３に示すように透明でデジタイザ機能を備えた透明シート４４を表示部１１の上面に被せた電子ペーパ１０が考えられる。
【００４２】
この態様では、ユーザが電子ペーパ１０上に表示されるカラーパレットの中から色を指定して、透明シート４４の上から希望する画像を筆記具１４（先端部の尖った物、ペン等）で描くと、当該筆記具１４と上記透明シート４４との接触点の位置を上記透明シート４４がデジタイザ機能を用いて検出する。透明シート４４は、検出した接触点の位置を上記表示発光制御手段２３に送信する。
【００４３】
但し、マウスに代表されるポインティング・ディバイス（当該ポインティング・ディバイスと連動するカーソルを含む）にて描かれた図柄の形状や位置を上記表示発光制御手段２３が検出することができれば、ユーザは当該ポインティング・ディバイスを用いて文字や画像を透明シート４４に描いてもよい。
【００４４】
上記表示発光制御手段２３は、ユーザが指定した色や表現方法（例えば筆やブラシで描いたように）と、上記接触点の位置に基づいて、描かれた画像の形状や模様等と画像が描かれた位置を認識する。上記表示発光制御手段２３は、認識した画像の形状や模様等と画像が描かれた位置とから表示用ビットデータを生成し、上記画像記憶手段４３に格納する。
【００４５】
上記表示発光制御手段２３は、上記画像記憶手段４３に表示用ビットデータを格納すると、表示用ビットデータ格納後の上記画像記憶手段４３の記憶内容に基づいた表示を電子ペーパ１０に表示する。
【００４６】
又、電子ペーパ１０に表示されている文字や画像に文字を追記する場合、まずユーザは文字を追記する領域を上記筆記具１４にて指定する。上記透明シート４４は、ユーザが指定した領域を上記表示発光制御手段２３に送信する。
【００４７】
上記表示発光制御手段２３は、上記透明シート４４から送信された領域に基づいて文字領域データを生成する。
【００４８】
続いてユーザは本体２０に接続されたキーボード４６や電子ペーパ１０に実装されているソフトウェアキーボード等を用いて、所定の文字を入力する。入力された文字の文字コードは上記表示発光制御手段２３に入力される。尚、上記筆記具１４を用いて文字を追記することができるようにしても良いが、その場合、ユーザが書いた文字から文字コードを生成することができる機能を上記表示発光制御手段２３が持っていることが好ましい。
【００４９】
上記表示発光制御手段２３は上記生成した文字領域データと、上記キーボード４６等により入力された文字の文字コードとを対応付けて上記文字記憶手段４２に格納する。
【００５０】
上記表示発光制御手段２３は、上記文字記憶手段４２に文字コードと文字領域データ、即ち文字データを格納すると、文字データ格納後の文字記憶手段４２の記憶内容に基づいて、上記のように表示用ビットデータを生成する。そして、上記表示発光制御手段２３は生成した表示用ビットデータを表示用ドライバ１２ａに送信する。表示用ドライバ１２ａは受信した表示用ビットデータに基づいて文字を電子ペーパ１０に表示する。
【００５１】
以上により、電子ペーパ１０の表示内容を編集することが可能である。
【００５２】
（実施の形態１）
本実施の形態では、複数枚の電子ペーパで構成される所定のグループの表示内容と他のグループの表示内容とが同じになるための構成について説明する。
【００５３】
ユーザが本体２０の電源を投入すると、上記ページ管理手段１８が起動して、本体２０の表紙表示部２７１に図４に示すメニュー１５４を表示する指示を表示発光制御手段２３に送る。
【００５４】
尚、上記ページ管理手段１８は、表示発光制御手段２３に対して必ずしも表紙表示部２７１に上記メニュー１５４の表示を指示する必要はない。例えば、上記ページ管理手段１８は、上記メニュー１５４を電子ペーパファイル３０に接続された特定の電子ペーパ１０に表示する指示を上記表示発光制御手段２３に送るようにしてもよい。
【００５５】
上記メニュー１５４が表示されると、ユーザは上記メニュー１５４のうち、「システム設定」メニュー１５４ｂの「初期設定」１５４ｃを筆記具１４を用いて選択する。
【００５６】
筆記具１４にて「初期設定」１５４ｃが選択されると、透明シート４４は、筆記具１４の接触点の位置を表示発光制御手段２３に送信する。表示発光制御手段２３は、接触点の位置を受信し、筆記具１４にて「初期設定」１５４ｃが選択されたことを認識すると、上記本体２０が備える識別番号取得手段１５２を起動させる。
【００５７】
当該識別番号取得手段１５２は起動すると、本体２０に備えられた通信手段１７と通信可能な範囲（例えば、半径５ｍ以内）に置かれている図６に示す電子ペーパ１０１〜１０６の識別番号Ｄ１０１〜１０６を電子ペーパ１０１〜１０６から取得する。尚、ここでは上記識別番号取得手段１５２が識別番号Ｄ１０１〜Ｄ１０６を取得できるように、電子ペーパ１０１〜１０６は電源がＯＮとなっているものとする。上記識別番号取得手段１５２は、取得した識別番号Ｄ１０１〜Ｄ１０６を本体２０に備えられた設定手段１５３に送る。
【００５８】
次に、上記設定手段１５３は、上記識別番号Ｄ１０１〜Ｄ１０６が送られると、図５に示すように表紙表示部２７１に送信先設定メニュー１５４ｄと、各識別番号Ｄ１０１〜Ｄ１０６を表示する。
【００５９】
ユーザは、表示された識別番号Ｄ１０１〜Ｄ１０６のグループ分けを行うために、設定メニュー１５４ｄのグループ設定キー１５４ｅを筆記具１４にて押下する。次にユーザは、識別番号Ｄ１０１〜Ｄ１０３を筆記具１４を用いて指定し、確定キー１５４ｆを押下する。
【００６０】
これにより上記設定手段１５３は、識別番号Ｄ１０１〜Ｄ１０３をグループ１５５ａの構成要素として記憶し、更に、上記識別番号Ｄ１０１〜Ｄ１０３にグループ１５５ａ内のページ番号１〜３を対応付けて記憶する。上記設定手段１５３は、ここで記憶したページ番号を送信先設定メニュー１５４ｄに表示する。上記設定手段１５３は、ページ番号を記憶すると、図５に示すようにグループ１５５ａを構成する識別番号Ｄ１０１〜Ｄ１０３の周りに所定の色の枠１６０を表示する。
【００６１】
次にユーザは、図５に示す枠１６０で囲まれた領域を筆記具１４で指定し、グループ１５５ａの名称として例えば「ＥＰ１」をソフトウェアキーボードを用いて上記設定手段１５３に入力する。上記設定手段１５３は、入力された「ＥＰ１」を上記グループ１５５ａのグループ名称として記憶するとともに、送信先設定メニュー１５４ｄに表示する。尚、ユーザが上記グループ名称を入力しない場合は、上記設定手段１５３が任意にグループ名称を設定するようにしてもよい。
【００６２】
また、上記グループ１５５ａの設定と同様に、ユーザは識別番号Ｄ１０４〜Ｄ１０６で１つのグループ１５５ｂを構成するように指定し、更に当該グループ名称として「ＥＰ２」を設定手段１５３に入力する。上記設定手段１５３は、グループ１５５ｂの識別番号Ｄ１０４〜Ｄ１０６にグループ内の１〜３のページ番号を対応付けて記憶する。
【００６３】
尚、電子ペーパのグループ分けの方法は、上記方法以外であってもよい。例えば、ユーザがグループ数又は１グループ当たりの枚数を入力しただけで、上記設定手段１５３が上記識別番号Ｄ１０１〜Ｄ１０６をグループ分けするようにしてもよい。また、ユーザが上記グループ分けをしない場合、上記設定手段１５３は識別番号Ｄ１０１〜Ｄ１０６で１つのグループを構成するようにしてもよい。
【００６４】
上記設定手段１５３は、各識別番号Ｄ１０１〜Ｄ１０６とグループ名称とグループ内のページ番号とを記憶すると、通信手段１７を介して各電子ペーパ１０１〜１０６に、各電子ペーパ１０１〜１０６のグループ名称とページ番号とを送信する。
【００６５】
ここでは、グループ名称「ＥＰ１」を上記識別番号Ｄ１０１〜Ｄ１０３に対応する電子ペーパ１０１〜１０３へ、またグループ名称「ＥＰ２」を上記識別番号Ｄ１０４〜Ｄ１０６に対応する電子ペーパ１０４〜１０６に送信することになる。
【００６６】
図６に示す電子ペーパ１０１〜１０３の通信手段３１が、上記グループ名称「ＥＰ１」を受信すると、電子ペーパ１０１〜１０３の表示用ドライバ１２ａは、「ＥＰ１」を表示部１１の所定位置に表示する。また電子ペーパ１０４〜１０６の表示用ドライバ１２ａも、同様にして、送信された上記グループ名称「ＥＰ２」を、各表示部１１の所定位置に表示する。このように各電子ペーパ１０１〜１０６にグループ名が表示されることで、ユーザは各電子ペーパ１０１〜１０６がどのグループに属しているのかを容易に確認することができる。
【００６７】
尚、上記グループ名称が表示される表示部１１の所定位置は、予め特定されていても、或いは上記グループ設定のときに設定するようにしてもよい。
【００６８】
次に、上記グループの解除を行う場合について説明する。
【００６９】
例えば、ユーザは筆記具１４を用いて送信先設定メニュー１５４ｄの解除キー５１４ｇを押下し、枠１６０で囲まれた領域を選択する。すると上記設定手段１５３は、グループ１５５ａを解除する指示が入力されたことを認識する。
【００７０】
次に、上記設定手段１５３は、自身の記憶内容からグループ名称「ＥＰ１」と対応する識別番号Ｄ１０１〜Ｄ１０３を抽出する。そして、識別番号Ｄ１０１〜Ｄ１０３と対応付けて記憶されたグループ名称「ＥＰ１」とページ番号とを消去する。
【００７１】
このようにグループ名称や、ページ番号を消去することができるので、例えばユーザが、グループ分けを誤っても、グループ分けをやり直すことができる。
【００７２】
また、以上のようにグループ１５５ａが解除されると、上記設定手段１５３は、通信手段１７を介して、解除されたグループ１５５ａを構成する電子ペーパ１０１〜１０３にグループ名称の表示の消去指示を送信する。
【００７３】
上記各電子ペーパ１０１〜１０３の通信手段３１が、上記グループ名称の表示の消去指示を受信すると、電子ペーパ１０１〜１０３の表示用ドライバ１２ａは表示部１１に表示されているグループ名称を消去する。
【００７４】
また、上記グループ内のページ番号は以下のようにしてユーザによって変更される。
【００７５】
ユーザは、図５に示す順番変更キー１５４ｈを筆記具１４にて押下し、所定の識別番号を選択する。続いて、ユーザはソフトウェアキーボードを用いて所定のページ番号を入力し、確定キー１５４ｉを押下する。これにより、上記設定手段１５３は、ここで入力されたページ番号を、上記選択された識別番号の電子ペーパのページ番号として記憶する。尚、上記設定手段１５３は、変更後のページ番号が他の電子ペーパのページ番号として割り当てられている場合、他の電子ペーパのページ番号を現在使用されていない所定のページ番号に変更する。
【００７６】
また、ユーザが電子ペーパ１０１〜１０６に名称を付けて、当該名称が電子ペーパ１０１〜１０６に表示されるようにしてもよい。
【００７７】
例えばユーザが、所定の識別番号を筆記具１４等で選択して、ソフトウェアキーボードを用いて所定の文字や記号を入力する。入力された文字や記号は当該識別番号の電子ペーパを示す名称として上記設定手段１５３に記憶される。尚、ユーザが、文字や記号を入力しない場合、上記設定手段１５３は識別番号を電子ペーパの名称として記憶する。
【００７８】
上記設定手段１５３は、通信手段１７を介して、名称を記憶した電子ペーパに、電子ペーパの名称を送信する。
【００７９】
電子ペーパの通信手段３１が電子ペーパの名称を受信すると、当該電子ペーパの表示用ドライバ１２ａは、受信した名称を電子ペーパの所定の位置に表示する。
【００８０】
また、電子ペーパの属するグループをユーザが把握しやすいように、電子ペーパにグループを識別するためのマークが表示されるようにしてもよい。
【００８１】
それを実現するために、ユーザが図５に示す枠１６０を筆記具１４で選択すると、上記設定手段１５３は、表紙表示部２７１の所定位置に図７に示すグループのマークの色を選択することができるプルダウンメニュー１６１を表示する。
【００８２】
このプルダウンメニュー１６１からユーザはマークの色、例えば赤色を選択する。ユーザが色を選択すると、次に設定手段１５３はマークの表示方法、例えば、「常時表示」、「一定間隔おきに表示」等を選択することができるプルダウンメニュー１６２を表示する。例えば、ユーザが「常時表示」を選択すると、次に、設定手段１５３はマークの表示位置、例えば、電子ペーパの表示部１１の全面、表示部１１の最下部、最上部、左側端部、右側端部等を選択するプルダウンメニュー１６３を表示する。ユーザが、最上部を選択すると、「赤色：常時表示：最上部」という表示情報を上記設定手段１５３が生成する。
【００８３】
上記設定手段１５３は表示情報を生成すると、上記通信手段１７を介して、グループ名１５５ａに属する電子ペーパ１０１〜１０３に当該表示情報を送信する。
【００８４】
電子ペーパ１０１〜１０３の通信手段３１が表示情報を受信すると、表示発光用ドライバ１２ａは表示情報に基づくマークを表示する。即ち、電子ペーパ１０１〜１０３の最上部が赤色に発光することになる。
【００８５】
上記のようにマークが電子ペーパに表示されることにより、ユーザは各電子ペーパ１０１〜１０６が属するグループを容易に把握することができる。
【００８６】
尚、送信先設定メニュー１５４ｄを終了させるには、ユーザは筆記具１４を用いて「設定終了」キー１５４ｋを選択する。「設定終了」キー１５４ｋが選択されると、上記設定手段１５３は送信先設定メニュー１５４ｄの表示を中止して、上記ページ管理手段１８が上記メニュー１５４を表紙表示部２７１に表示する。
【００８７】
また、ユーザは、グループ分けの対象として新たな電子ペーパを追加する場合、追加する電子ペーパを上記通信手段１７の通信可能範囲に置き、再度上記メニュー１５４の「システム設定」１５４ｂを選択し、「初期設定」１５４ｃを選択する。これにより、上記と同様に識別番号取得手段１５２は、通信手段１７の通信可能範囲にある電子ペーパの識別番号を取得し、上記設定手段１５３は上記のように送信先設定メニュー１５４ｄを表紙表示部２７１に表示する。この送信先設定メニュー１５４ｄには、追加する電子ペーパの識別番号が表示されるので、ユーザは上記と同様にして、追加された識別番号を所定のグループの構成要素とすることができる。
【００８８】
以上のように、電子ペーパ１０１〜１０６のグループ分けを行うと、ユーザは、論文集のデータを上記メモリカード４１から電子ペーパファイル３０に入力する作業を行う。
【００８９】
まず、ユーザは、上記メニュー１５４のから「データ表示」１５４ｍを筆記具１４にて選択する（図８：Ｓ１０）。
【００９０】
次に、ユーザは、上記ページ指定手段１７０を用いて、例えば「１００」を入力する。数値が入力されると、ページ指定手段１７０は、上記ページ管理手段１８に「１００」が入力されたことを通知する。
【００９１】
上記ページ管理手段１８は、上記ページ指定手段１７０から「１００」が入力されると、上記設定手段１５３が記憶している識別番号Ｄ１０１〜Ｄ１０６が属するグループ名称と、ページ番号とを取得する。
【００９２】
ここでは、上記設定手段１５３は識別番号Ｄ１０１〜Ｄ１０６を記憶しており、識別番号Ｄ１０１〜Ｄ１０３は「ＥＰ１」グループに属しており、識別番号Ｄ１０１〜１０３のページ番号は１〜３である。また、識別番号Ｄ１０４〜Ｄ１０６は「ＥＰ２」グループに属しており、識別番号Ｄ１０４〜Ｄ１０６のページ番号は１〜３である。
【００９３】
ここでは「ＥＰ１」、「ＥＰ２」それぞれのグループに属する電子ペーパが３枚あるため、上記ページ管理手段１８は、各電子ペーパのグループが３枚の電子ペーパから構成されていることと、ページ指定手段１７０に「１００」が入力された旨とを上記表示発光制御手段２３に通知する。
【００９４】
上記表示発光制御手段２３は、３枚であることが通知されると、上記信号授受手段２２に上記メモリカード４１から、論文集の１００ページ〜１０２ページのデータを取得するように指示する（図８、Ｓ１１）。該指示があると、信号授受手段２２はメモリカード４１から１００ページ〜１０２ページのデータを取得して、上記表示発光制御手段２３に送信する（図８、Ｓ１２）。
【００９５】
上記表示発光制御手段２３は、１００〜１０２ページ目のデータを受信すると、受信した１００〜１０２ページのデータを上記のように表示用ビットデータに変換する。上記表示発光制御手段２３は、表示用ビットデータに変換すると、当該表示用ビットデータをページ管理手段１８に送信する（図８：Ｓ１３）。
【００９６】
上記ページ管理手段１８は、上記で設定手段１５３から取得した識別番号Ｄ１０１〜Ｄ１０６のページ番号に基づいて、各電子ペーパ１０１〜１０６に表示用ビットデータを送信する。例えば、論文集の１００ページ目に対応する表示用ビットデータを、ページ番号が１である識別番号Ｄ１０１、Ｄ１０４の電子ペーパ１０１、１０４に送信する。同様に、１０１ページ目に対応する表示用ビットデータを、ページ番号が２である電子ペーパ１０２、１０５に、１０２ページ目に対応する表示用ビットデータを、ページ番号が３である電子ペーパ１０３、１０６に送信する（図８：Ｓ１４）。
【００９７】
各電子ペーパ１０１〜１０６の通信手段３１が表示用ビットデータを受信すると、表示用ドライバ１２ａは上記通信手段３１が受信した表示用ビットデータを電子ペーパの表示部１１に表示する（図８：Ｓ１５）。
【００９８】
これにより、グループ１５５ａとグループ１５５ｂの電子ペーパに、論文集の１００〜１０２ページが表示されることになる。
【００９９】
また、電子ペーパ１０１〜１０３と電子ペーパ１０４〜１０６に論文集の１００〜１０２ページが表示されている状態で、ユーザが上記ページ指定手段１７０を用いて、「１０３」を入力すると、電子ペーパ１０１〜１０３と電子ペーパ１０４〜１０６には論文集の１０３ページから１０５ページが表示されるようになる。つまり、電子ペーパに表示される内容を変更しても、各グループの表示内容は同じとなる。
【０１００】
更に、上記各電子ペーパ１０１〜１０６は、ばらばらにして机上に置くことができるため、ユーザは複数の電子ペーパに表示された内容を一度に見ることができる。
【０１０１】
また、上記各電子ペーパ１０１〜１０６のうち、所定の電子ペーパに上記本体２０と同様の機能を備えれば、これら電子ペーパ１０１〜１０６のみで上記と同様の構成とすることができる。
【０１０２】
（実施の形態２）
実施の形態２では、複数の電子ペーパファイルの表示内容を同じにすることができる電子ペーパファイルの構成について説明する。
【０１０３】
まず、ユーザは、文字記憶手段４２と画像記憶手段４３とに同じデータ、例えば所定の論文集の内容を記憶した図９に示す３つの本体２１０、３１０、４１０から１つの本体を「ホスト」として選択する。
【０１０４】
「ホスト」の選択は、図４に示すように表紙表示部２７１に表示されるホスト選択メニュー１８０を筆記具１４を用いて行う。すると、図１０に示すように、役割決定手段１８１は本体２１０に対して「クライアント」となる本体の本体ＩＤを入力することができる入力欄１８２を表紙表示部２７１に表示する。
【０１０５】
ここで、ユーザは、ソフトウェアキーボード１８３を用いて、クライアントとなる本体３１０、４１０の本体ＩＤを上記入力欄１８２に入力する。ユーザはクライアントとなる本体の本体ＩＤの入力を完了すると、ソフトウェアキーボード１８３を用いて、設定終了キー１８４を押下する。設定終了キー１８４が押下されると、表紙表示部２７１の表示はメニュー１５４に変わる。
【０１０６】
また、設定終了キー１８４が押下されると、上記役割決定手段１８１は、本体３１０、４１０の本体ＩＤと、本体２１０が本体３１０、４１０に対しての「ホスト」である旨とを、上記ページ管理手段１８に格納する。またページ管理手段１８は、表示発光制御手段２３に対しても、本体２１０が本体３１０、４１０に対しての「ホスト」である旨を通知する。
【０１０７】
更に、上記役割決定手段１８１は、本体２１０の本体ＩＤと本体３１０、４１０が本体２１０に対してのクライアントである旨とを、通信手段１７を介して本体３１０、４１０に送信する。
【０１０８】
本体２１０から送信された本体２１０の本体ＩＤと本体３１０、４１０が本体２１０に対してのクライアントである旨とは、通信手段１７を介して本体３１０、４１０の役割決定手段１８１にて受信される。本体３１０、４１０の役割決定手段１８１は、ここで受信した本体２１０の本体ＩＤと本体２１０に対してのクライアントである旨とを、本体３１０、４１０のページ管理手段１８に格納する。
【０１０９】
次に、ユーザは、電子ペーパ２０１〜２０５を本体２１０に、電子ペーパ３０１〜３０５を本体３１０に、電子ペーパ４０１〜４０５を本体４１０に通信可能に接続する。この通信は、接続端子１３、２５とを接続させて行うようにしてもよいし、赤外線等を用いて通信手段１７と通信手段３１とで行うようにしてもよい。
【０１１０】
続いて、ユーザは、表紙表示部２７１に表示されているメニュー１５４から「データ表示」１５４ｍを選択する。更に続けて、ユーザは上記ページ指定手段１７０を用いて、例えば「２００」を入力する。するとページ指定手段１７０は、上記のように「２００」が入力された旨をページ管理手段１８に通知する。
【０１１１】
上記ページ管理手段１８は、ページ指定手段１７から「２００」が入力されると、本体２１０と接続されている電子ペーパの枚数（５枚）と、ページ指定手段１７０に「２００」が入力されたこととを上記表示発光制御手段２３に通知する。
【０１１２】
上記表示発光制御手段２３は、「２００」が入力された旨と、５枚の電子ペーパ１０が本体２０に接続されている旨とを受け取ると、論文集の２００ページから２０４ページのデータを取得するように上記信号授受手段２２に指示する。
【０１１３】
尚、本実施の形態では、ユーザは実施の形態１のように本体２１０に論文集の２００ページ〜２０４ページのデータが記憶されたメモリカード４１を挿填していない。そこで、上記信号授受手段２２は、メモリカード４１が挿填されていないことを上記表示発光制御手段２３に通知する。該通知を受け取ると、上記表示発光制御手段２３は、文字記憶手段４２と画像記憶手段４３とを参照して、文字記憶手段４２と画像記憶手段４３とに論文集の２００〜２０４ページのデータが格納されているかどうか判断する。
【０１１４】
尚、上記のようにここでは文字記憶手段４２と画像記憶手段４３には論文集の２００〜２０４ページのデータが格納されているので、上記表示発光制御手段２３は、文字記憶手段４２と画像記憶手段４３から論文集の２００〜２０４ページのデータを取得する。
【０１１５】
上記表示発光制御手段２３は取得した２００〜２０４ページのデータから上記のように表示用ビットデータを生成する。上記表示発光制御手段２３は、表示用ビットデータを生成すると、例えば電子ペーパ２０１に２００ページの表示用ビットデータを、電子ペーパ２０２に２０１ページの表示用ビットデータを・・・、電子ペーパ２０５に２０４ページの表示用ビットデータを送信する。上記表示発光制御手段２３から送信された表示用ビットデータは、各電子ペーパ２０１〜２０５の通信手段３１又は接続端子１３を介して表示用ドライバ１２ａに受信される。表示用ドライバ１２ａは受信した表示用ビットデータ（論文集の内容）を表示部１１に表示する。
【０１１６】
また、上記のように、表示発光制御手段２３はページ管理手段１８から本体２１０が本体３１０、４１０に対してのホストである旨が通知されているので、論文集の２００〜２０４ページの表示用ビットデータを管理手段１８に転送する。
【０１１７】
表示用ビットデータを受け取ると、上記ページ管理手段１８は、通信手段１７を介して、クライアントとなる本体３１０、４１０に、論文集の２００〜２０４ページの表示指示を送信する。
【０１１８】
本体２１０のページ管理手段１８から送信された表示指示は、本体３１０、４１０の通信手段１７を介して、本体３１０、４１０のページ管理手段１８にて受信される。ページ管理手段１８は、受信した表示指示を表示発光制御手段２３に送信する。
【０１１９】
上記表示発光制御手段２３は、論文集の２００ページ〜２０４ページの表示指示を受信すると、文字記憶手段４２と画像記憶手段４３とから論文集２００ページから２０４ページのデータを取得する。更に、表示発光制御手段２３は、取得した論文集の２００ページ〜２０４ページのデータから表示用ビットデータを生成する。表示発光制御手段２３は、本体３１０、４１０に接続された電子ペーパ３０１〜３０５、電子ペーパ４０１〜４０５に生成した表示用ビットデータを送信する。
【０１２０】
各電子ペーパの表示用ドライバ１２ａは表示用ビットデータを受信すると、各電子ペーパ３０１〜３０５、４０１〜４０５の表示部１１に表示用ビットデータ（論文集の内容）を表示する。
【０１２１】
よって、本体２１０に接続された電子ペーパと、本体３１０、４１０に接続された電子ペーパとの表示内容は同じになる。
【０１２２】
尚、本体３１０、４１０の文字記憶手段４２と画像記憶手段４３に、論文集の２００〜２０４ページのデータが記憶されていない場合、上記本体２１０のページ管理手段１８は論文集の２００〜２０４ページの表示指示と共に、論文集の２００〜２０４ページのデータを本体３１０、４１０に送るようにする。
【０１２３】
（実施の形態３）
上記第１の実施の形態で、各電子ペーパ１０１〜１０６は、本体２０の表示発光制御手段２３から送信された表示用ビットデータを表示するのみである。そこで、本実施の形態では、各電子ペーパにて上記表示用ビットデータの編集を可能にした場合のデータの送受信の一例を説明する。
【０１２４】
図１１は本発明を適用した電子ペーパファイルの構成図を、又図１２は表示用データの編集方法の一例を示し、以下でその構成と動作を説明する。
【０１２５】
図１１に示すように、上記各電子ペーパ１０１〜１０６は、表示発光制御手段２３１〜２３６と、ページ管理手段５１１〜５１６を備える。更に、上記電子ペーパ１０１は、表示部１１の上面にデジタイザ機能を備えた透明シート４４をも備えている。
【０１２６】
尚、各電子ペーパ１０１〜１０６のグループ分けや、電子ペーパ１０１〜１０６と本体２０との表示用ビットデータの送信方法は、上記第１の実施の形態での説明と同様であるため省略する。
【０１２７】
また、上記本体２０のページ管理手段１８は、実施の形態１のようにグループ分けが行われると、実施の形態１と同じようにグループ名称やページ番号等を各電子ペーパ１０１〜１０６に送信する。このとき、上記ページ管理手段１８は、グループ名称やページ番号と共に、本体２０を特定するための識別データＤ０（製造番号等）も送信する。
【０１２８】
そして、上記各電子ペーパ１０１〜１０６は、送信された上記各設定情報と識別データＤ０をページ管理手段５１１〜５１６に記憶し、この識別データＤ０をデータの送信先として設定する。更に、各電子ペーパ１０１〜１０６の表示発光制御手段２３１〜２３６はグループ名称等を表示部１１の所定位置に表示する。
【０１２９】
以下では、例えば図１２に示すように、電子ペーパ１０１の表示部１１に筆記用具１４を使用して図形等の書き込みを行うと、他の電子ペーパ１０４の表示部１１に、電子ペーパ１０１の表示部１１に書き込まれた内容を表示する処理を説明する。
【０１３０】
まず、ユーザＡは、電子ペーパ１０１の表示部１１に備えられた上記透明シート４４の上より所定の図柄を筆記具１４で描く。透明シート４４に備えられたデジタイザ機能により、筆記具１４と透明シート４４との接触点の位置を上記表示発光制御手段２３１は検出する。
【０１３１】
そして、上記表示発光制御手段２３１は、電子ペーパ１０１の識別番号Ｄ１０１と、筆記具１４と透明シート４４との接触点の位置（位置データ）とを、上記ページ管理手段５１１に記憶されている識別データＤ０と共に電子ペーパ１０１の通信手段３１に送る。
【０１３２】
上記通信手段３１は、送られた上記位置データと識別番号Ｄ１０１を上記識別データＤ０に対応する本体２０に送信する。
【０１３３】
上記本体２０では、送信された上記位置データと識別番号Ｄ１０１を、通信手段１７を介して表示発光制御手段２３で受信する。
【０１３４】
そして、上記表示発光制御手段２３は、受信した位置データに基づいて、上記のように表示用ビットデータを生成し、上記画像記憶手段４３に格納する。更に上記表示発光制御手段２３は、受信した識別番号Ｄ１０１をページ管理手段１８に送る。
【０１３５】
上記ページ管理手段１８は、上記設定手段１５３の中から上記識別番号Ｄ１０１に対応するページ番号（ここでは、「１」）と同一のページ番号の識別番号を検索する。ここで、上記ページ管理手段１８に記憶されている設定内容は、グループ名称「ＥＰ１」に対応して、「識別番号Ｄ１０１、ページ番号１」、「識別番号Ｄ１０２、ページ番号２」、「識別番号Ｄ１０３、ページ番号３」である。更に、グループ名称「ＥＰ２」に対応して、「識別番号Ｄ１０４、ページ番号１」、「識別番号Ｄ１０５、ページ番号２」、「識別番号Ｄ１０６、ページ番号３」である。よって、上記検索結果は、グループ名称「ＥＰ２」の識別番号Ｄ１０４となる。尚、同一のページ番号がない場合、上記ページ管理手段１８は処理を終了する。
【０１３６】
上記検索結果に基づいて、上記表示発光制御手段２３は、上記画像記憶手段４３に格納した表示用ビットデータを、上記通信手段１７を介して識別番号Ｄ１０１に対応する電子ペーパ１０１と識別番号Ｄ１０４に対応する電子ペーパ１０４に送信する。
【０１３７】
次に、上記電子ペーパ１０１は、送信された上記表示用データを通信手段３１を介して表示発光制御手段２３１で受信する。上記表示発光制御手段２３１にて、受信された上記表示用ビットデータは表示用ドライバ１２ａにて表示部１１に表示される。
【０１３８】
また、上記電子ペーパ１０４も、同様に上記表示用ビットデータ（更新された表示用データ）を表示部１１に表示する。
【０１３９】
以上のことから、上記電子ペーパ１０１の表示部１１に、所定の画像を描くことで、電子ペーパ１０１とページ番号が同じ上記電子ペーパ１０４の表示部１１にも描いた画像が表示されることになる。尚、上記では、電子ペーパ１０１に所定の画像を描いた場合について説明したが、電子ペーパ１０１に表示されている所定の画像を消去したり、文字を追記または削除した場合も、電子ペーパ１０４に表示されている画像が消去されたり、電子ペーパ１０４に文字が追記または削除されるようにしてもよい。
【０１４０】
また、上記電子ペーパ１０１と電子ペーパ１０４の両方に上記透明シート４４を備えるようにすれば、この電子ペーパ１０１と電子ペーパ１０４のいずれからでも表示用内容の編集が可能になる。
【０１４１】
この場合は、例えば、表示用内容の編集の実施を、ページ番号が同じ他の電子ペーパに通知するキー等を各電子ペーパの所定位置に備えるようにする。そして、例えば、ユーザＡが上記電子ペーパ１０１のキーを押下すると、この電子ペーパ１０１は、上記編集等の実施許可の要求を上記電子ペーパ１０４に送信する。上記電子ペーパ１０４は、送信された要求に基づいて、例えば「実施許可」と「実施不許可」のメッセージ等を表示発光制御手段２３４により表示部１１の所定位置に表示する。この表示に対して、ユーザＢは、筆記具１４を用いて「実施許可」の表示を選択すると、上記電子ペーパ１０１より表示用内容の編集が実施可能となる。
【０１４２】
また、「実施不許可」を選択することにより不許可の応答を行うと、上記電子ペーパ１０１よりの表示用データの編集等は実施不可能のままとなる。
【０１４３】
（実施の形態４）
本実施の形態では、上記実施の形態で説明した各電子ペーパに備えた接続端子１３と、本体２０に備えた接続端子２５とによって各電子ペーパを本体２０と着脱自在とした構成の詳細を説明する。
【０１４４】
尚、図２及び図１３に示すように、本体２０側の接続端子２５と電子ペーパ１０側の接続端子１３の両方を固定式としてもよい。また、図１４に示すように、上記接続端子２５を可動式（ここでは、接続端子２５を回転型構造とする）としてもよい。そして、上記接続端子１３は、表示用ドライバ１２ａ等からの配線数に対応するピン受けが配設されており、一方各接続端子２５にはこのピン受けに対応した位置に、かつ対応する数のピン２１（ｎ）が配設されている。尚、上記ピン受け（及び、ピン２１（ｎ））の数は、上記各電子ペーパ１０への表示用ビットデータの表示制御（又は、編集等）や発光制御の方法に対応する。
【０１４５】
例えば、実施の形態３で説明したように、デジタイザ機能を備えた透明シート４４を各電子ペーパ１０の表示部１１の上面に備えた場合は、このデジタイザからの位置データを上記本体２０側に送信するためのピン受け（接続端子１３側）とピン（接続端子２５側）が更に必要となる。
【０１４６】
上記電子ペーパファイル３０は、表示用ビットデータの表示漏れの防止を目的として、例えば、上記各接続端子２５のうちの上記電子ペーパ１０が装着されている接続端子２５にのみ表示用ビットデータを転送するために、着脱検知手段６０を本体２０に備えるようにする。
【０１４７】
即ち、上記着脱検知手段６０は、上記各接続端子２５のうちの電子ペーパ１０が装着されている接続端子２５を検知し（後述する）、このように検知した接続端子２５の接続端子番号を上記表示発光制御手段２３に通知する。尚、ここでいう接続端子番号とは、図１３に示す電子ペーパファイルの表表紙２６１に最も近い位置にある接続端子２５を”１”とし、以下表表紙２６１から離れるに従って大きくなる番号である。
【０１４８】
これによって、上記表示発光制御手段２３は、上記通知された接続端子番号に基づいて表示用ビットデータを転送することで、電子ペーパ１０が接続されていない接続端子２５に表示用ビットデータの送信することがないので、表示漏れを防止することができる。
【０１４９】
ここで、電子ペーパ１０が装着されている接続端子２５を上記着脱検知手段６０が検知する構成の例として、下記のような構成がある。
【０１５０】
例えば、図１６に示すように、上記本体２０に上記着脱検知手段６０を設け、この着脱検知手段６０から２つの電気信号を各接続端子２５に出力する。このとき電子ペーパ１０が接続端子２５に装着されていると、当該２つの電気信号は、電子ペーパ１０にある接続端子１３を介して、電子ペーパの表示駆動部１２にあるアンドゲート６１に入力される。これによって、該アンドゲート６１から電気信号が出力され、当該電気信号が上記接続端子１３と上記接続端子２５を介して上記着脱検知手段６０に入力される。この結果、上記着脱検知手段６０は、電気信号の出力先の接続端子２５に電子ペーパ１０が接続されていることを検知することができる。
【０１５１】
また、図１７に示すように、例えば、上記接続端子２５と対応させた押しボタン６２を本体２０の背板２４の内面に設けた構成でもよい。これにより、上記接続端子２５に電子ペーパ１０が装着されると同時に、当該電子ペーパ１０によって押しボタン６２が押下されるようにし、当該押下により、上記着脱検知手段６０は所定の接続端子２５に電子ペーパ１０が装着されていることを検知することができる。
【０１５２】
或いは、図１８に示すように、例えば、接続端子２５の突出方向に光を発するフォトカプラ６３を本体２０に設け、当該光の反射光量をもとに、上記着脱検知手段６０が電子ペーパ１０の脱着を検知する構成でもよい。即ち、接続端子２５に電子ペーパ１０が装着されていると、このフォトカプラ６３から発せられた光は、電子ペーパ１０にて反射する。従って、上記着脱検知手段６０は、上記フォトカプラ６３が一定の反射光量を受け取ったことを認識すると、上記接続端子２５に電子ペーパ１０が装着されていることを検知する。
【０１５３】
以上では、図１３に示すように本体２０側の各接続端子２５は上記背板２４に直接配設されている構造について述べたが、図１４及び図１９に示すように接続端子２５を備えた可動軸片７０を縦方向に複数連接してなる接続体７１の両端に軸端片７２を配接し、当該軸端片７２を背板２４に固定した構造でも良い。このように上記各可動軸片７０に配設された各接続端子２５に対して電子ペーパ１０が着脱自在になるようにしてもよい。即ち、所定の長さの円筒形の可動軸片７０の上下端部に、他の可動軸片７０の上下端部と相互に回転自在に接続可能な差込部７０ａ、７０ｂを設ける。
【０１５４】
更に、図２０（ａ）、（ｂ）に示すように、上記可動軸片７０の内周面には、周方向に次第に幅が広くなる反射部７３が描かれており、更に、可動軸片７０の外周の軸方向に、本体２０側の各接続端子２５が配設されている。このように、構成された各可動軸片７０を相互につなぎ合わせて接続体７１が形成される。
【０１５５】
一方、図２０（ａ）、図２１に示すように、フォトカプラ７４は上記各可動軸片７０内に上記反射部７３と対応した位置で素子固定軸７５に固定されている。この素子固定軸７５は上記接続体７１に挿入され、軸端片７２に固定されている。この軸端片７２には、更に、上記接続体７１の上下端が回転自在に固定され、また、当該軸端片７２は上記背板２４の内面に固定するようになっている。当該軸端片７２を背板２４の内面に固定する手段、また、素子固定軸７５の両端を軸端片７２の両端に固定する手段も種々考えられるが、ここでは、本発明の本質ではないので省略する。
【０１５６】
上記のように接続体７１が背板２４に取り付けられた状態で、各フォトカプラ７４は、同じ方向に光を出射するとともに、各可動片７０に取り付けられた各接続端子２５の向きを揃えたとき、これら各可動片７０の内面に描かれた反射部７３も内周に沿った軸方向に同じ幅を示すことになる。これによって、フォトカプラ７４は、上記各可動軸片７０の回転角、即ち各電子ペーパ１０の回転角に対応する信号を出力することになる。
【０１５７】
上記においては各可動軸片７０が相互に直接接続される構成について説明したが、図２２に示すように各可動片７０の間に中間固定片７６を介在させると更に安定して上記接続体７１を背板２４に取り付けることができる。即ち、中間固定片７６に対して、各可動片７０の差込部７０ａ、７０ｂを回転自在に差し込んで各可動片７０をつなぎ合わせて接続体７１を構成するとともに、このように構成された接続体７１の両端を上記と同様に上記軸端片７２で背板２４に固定するようにし、更に、上記中間固定片７６でも背板２４に固定するようになっている。
【０１５８】
この構成において、上記素子固定軸７５は、上記の例と同様両端の軸端片７２間で固定してもよいし、また、図２３に示すように、各中間固定片７６（あるいは軸端片７２）からフォトカプラ７４を取り付ける素子固定軸７５を各可動片７０の内部に突出させるように構成してもよい。
【０１５９】
また、上記フォトカプラ７４に代えて、図２４に示すように、バリアブル抵抗７７を使用することでもよい。即ち、上記素子固定軸７５に上記可動軸片７０の回転を妨げないようにドーナツ上のバリアブル抵抗７７を固定し、各可動軸片７０の内面に、上記ドーナツ上のバリアブル抵抗７７に接する可動端子７８を備えるようにする。この場合は、上記各接続端子２５を同じ方向に向けた時に各バリアブル抵抗７７は同じ値を出力するようになっており、これによって各電子ペーパの回転角が得られることになる。
【０１６０】
尚、上記可動軸片７０が透明な材質で作られている場合は、上記反射部７３を上記可動軸片７０の外周面に描いてもよい。
【０１６１】
図２０、図２４に示すように、本体２０にある位置検知手段６４は、フォトカプラ７４又は上記バリアブル抵抗７７を使用することで得た本体２０側の各接続端子２５の回転角を上記着脱検知手段６０に通知する。この着脱検知手段６０は、上記各接続端子２５のうち、電子ペーパ１０が装着されている接続端子を検知し、上記通知に基づいて該検知された接続端子２５に接続端子番号を付与する。ここでいう接続端子番号とは、例えば、電子ペーパファイルの表表紙２６１に最も近い位置にある接続端子２５を”１”とし、以下表表紙２６１から離れるに従って大きくなる番号である。続いて、上記着脱検知手段６０は、接続端子番号を上記表示発光制御手段２３に通知する。
【０１６２】
そして、通知を受けた上記表示発光制御手段２３は、この接続端子番号順に上述した表示処理を行うようになっており、これによって、表示用ビットデータがページ順に表示されることになる。
【０１６３】
ところで、以上で述べた、電子ペーパ１０側の接続端子１３は、電子ペーパ１０の所定の位置で固定されている。即ち、この電子ペーパ１０は、上記本体２０側の接続端子２５のうちの当該接続端子１３と対応した位置にある接続端子２５にのみ接続することが可能である。即ち、図１４、図１５に示すように、複数の接続端子２５が本体２０の縦方向に対してそれぞれ異なる位置に設けられている場合は、本体側の各接続端子２５に接続可能な位置に接続端子１３を持つ電子ペーパ１０を用意しなければならないという不具合があった。そこで、各接続端子２５の位置に関係なく、電子ペーパ１０を装着可能とするために、下記の構成を採用してもよい。
【０１６４】
例えば、図２５に示すように、電子ペーパ１０側の端部に、表示用ビットデータを転送するための必要な数の配線８０（ここでは、配線８０ａ、・・・、８０ｄ）を、縦方向に平行に配設しておく。
【０１６５】
一方、図２６に示すように、上記可動軸片７０から当該可動軸片７０の径方向に電子ペーパ１０を厚み方向に弾性で挟み込む２枚の挟み板８１を突設し、当該挟み板８１の内面に上記電子ペーパ１０に設けた配線８０のそれぞれと先端が当接する配線８２を設けて本体内の配線８２に導くように構成する。ここで、各接続端子２５を構成する配線８２の数は、上記電子ペーパ側の配線８０の数と同じであり、当該配線８２は先端のみで上記配線８０と電気的に接続可能な接点８３を持っている。この本体側の各接続端子２５の挟み板８１で上記電子ペーパ１０側の端部を両側から挟み込むように差し込むことで、各配線８０ａ、・・・、８０ｄと各接点８３ａ、・・・、８３ｄとが接するようになっている。これによって、上記表示発光制御手段２３が転送した表示用データは、この各接点８３ａ、・・・、８３ｄを介して、上記電子ペーパ１０に送られるようになる。
【０１６６】
或いは、上記のように、上記着脱検知手段６０が通知した接続端子番号に基づいて、上記表示発光制御手段２３が、上記表示処理を行うと、電子ペーパ１０が装着されている接続端子の接続端子番号が当該電子ペーパ１０に表示されるようにしてもよい。このように接続端子番号を電子ペーパ１０に表示すれば、当該電子ペーパ１０を本体２０から取り外した後でも、ユーザは、当該接続端子番号を見ることで、電子ペーパ１０に表示されている表示用ビットデータの順番が容易に分かるようになる。
【０１６７】
また、本体２０に備えられた文字記憶手段４２、画像記憶手段４３に表示用ビットデータが記憶されている場合は、下記のようなことを実施することが可能となる。
【０１６８】
例えば、上記接続端子２５のうちの所定の接続端子に装着されていた電子ペーパ１０を取り外し、異なる接続端子２５に当該電子ペーパ１０を装着すると、表示用ビットデータがページ順に表示されない場合が発生する。
【０１６９】
そこで、上記着脱検知手段６０が、電子ペーパ１０の着脱を常に検知するように設定しておく。即ち、当該着脱検知手段６０は、電子ペーパ１０が上記接続端子２５のうち所定の接続端子２５に装着或いは取り外されることを検知すると、上記のように電子ペーパ１０が装着されている接続端子２５の接続端子番号を上記表示発光制御手段２３に通知する。また、本体２０に上記位置検知手段６４が備えられている場合、当該位置検知手段６４は、上記着脱検知手段６０と連動して上記のように接続端子番号を接続端子２５に付与し、当該接続端子番号を上記表示発光制御手段２３に通知する。
【０１７０】
これによって、上記通知を受けた上記表示発光制御手段２３は、上記文字記憶手段４２又は画像記憶手段４３から表示用ビットデータを読み出し、通知された接続端子番号に基づいて上記表示処理を行う。
【０１７１】
また、本体２０に、図示しない所定のボタンを設けて、ユーザが当該ボタンを押下することで、上記着脱検知手段６０または上記位置検知手段６４が作動するようにしてもよい。更に、電子ペーパファイルの電源投入時や、電子ペーパの表示を一旦クリアにしたときに、上記着脱検知手段６０または上記位置検知手段６４が自動的に作動するようにしてもよい。
【０１７２】
以上のように、本発明の電子ペーパファイルにおいて、本体２０と電子ペーパ１０を着脱自在とした構成においても、この電子ペーパ１０への表示用データの表示漏れを防止することが可能となる
【０１７３】
【発明の効果】
上記のように、本発明の電子ペーパファイルが備えたページ管理手段と本体と、各電子ペーパが備えた通信手段により、本体に装着されていない電子ペーパに対して、所望のデータを本体から送受信することが可能になる。これにより、所定数の電子ペーパを本体から取り外し、所定数の電子ペーパ（電子ペーパのグループ）を複数のユーザに配布し、各ユーザに配布した電子ペーパに同じ資料や議論すべき図面等を表示することができる。
【０１７４】
また、上記ページ管理手段により設定された所定のグループ名称等が上記各電子ペーパの表示部に表示されるため、電子ペーパには、グループ名称等が表示され、ユーザが各電子ペーパがどのグループに属するのか容易に認識することができる。
【図面の簡単な説明】
【図１】本発明の電子ペーパファイルの概略ブロック図
【図２】電子ペーパの構成図
【図３】電子ペーパの外観図
【図４】本発明の電子ペーパファイルのメニュの構成図
【図５】  初期設定メニューを示した図
【図６】  電子ペーパファイルと電子ペーパとの関係を示す図
【図７】表示情報の作成に利用するプルダウンメニューを示した図
【図８】本発明の電子ペーパファイルによるデータ表示処理のフローチャート
【図９】複数の電子ペーパファイルよりなる構成図
【図１０】ホストとなる本体を選択するための表示を示した図
【図１１】複数の電子ペーパファイルよりなる構成図
【図１２】本発明の電子ペーパファイルの編集方法の一例を説明した図
【図１３】電子ペーパファイルの本体を示した図
【図１４】回転型構造を採用した電子ペーパファイルを示した図
【図１５】接続端子が縦方向に対して異なる位置に設けられ本体を示す図
【図１６】接続端子における電子ペーパの着脱状態を検知する方法を示す図
【図１７】接続端子における電子ペーパの着脱状態を検知する方法を示す図
【図１８】接続端子における電子ペーパの着脱状態を検知する方法を示す図
【図１９】回転構造を採用した本体の外観図
【図２０】本体の接続端子の位置を検出する方法を示した図
【図２１】接続体内にフォトカプラを配設したことを示す図
【図２２】中間固定片を用いたことを示す図
【図２３】中間固定片に素子固定軸を配設したことを示す図
【図２４】本体の接続端子の位置を検出する方法を示した図
【図２５】電子ペーパ側の接続端子の形状を示す図
【図２６】本体側の接続端子の形状を示す図
【図２７】電子ペーパファイルの外観図
【図２８】表示部の構成を示した図
【符号の説明】
１０  電子ペーパ
１８  ページ管理手段
２０  本体
２３  表示発光制御手段
３０  電子ペーパファイル
１５３  設定手段
【図１】
0003813522.tif 000002
【図２】
0003813522.tif 000003
【図３】
0003813522.tif 000004
【図４】
0003813522.tif 000005
【図５】
0003813522.tif 000006
【図６】
0003813522.tif 000007
【図７】
0003813522.tif 000008
【図８】
0003813522.tif 000009
【図９】
0003813522.tif 000010
【図１０】
0003813522.tif 000011
【図１１】
0003813522.tif 000012
【図１２】
0003813522.tif 000013
【図１３】
0003813522.tif 000014
【図１４】
0003813522.tif 000015
【図１５】
0003813522.tif 000016
【図１６】
0003813522.tif 000017
【図１７】
0003813522.tif 000018
【図１８】
0003813522.tif 000019
【図１９】
0003813522.tif 000020
【図２０】
0003813522.tif 000021
【図２１】
0003813522.tif 000022
【図２２】
0003813522.tif 000023
【図２３】
0003813522.tif 000024
【図２４】
0003813522.tif 000025
【図２５】
0003813522.tif 000026
【図２６】
0003813522.tif 000027
【図２７】
0003813522.tif 000028
【図２８】
0003813522.tif 000029